(57)【要約】【課題】クランクシャフト等のワークのための締付チャック１において、切削応力が作用する方向が絶えず切り替わる際に滑り動きや逆転時のがたつきがないようにする。【解決手段】チャック駆幹体3中に、回転軸2に沿って設けられて締付スリーブ4を受け入れる長手方向抜き部5と、軸方向にズレ動かし可能で、センター部材用軸受6を介してチャック駆幹体3中に取り外し可能に固定されたセンター部材7と、締付スリーブ4でもって切替作動を行うピストンホイール8とからなり、このピストンホイール8のテーパー状の外側面は、回転軸2と交わらずに直交する方向へとズレ動き可能にピン9に取り付けられた締付レバー9に突き当てられ、この締付レバー9が締付あご10を備える。ピン9は、チャック駆幹体3中にあって、締付レバー10を突き抜ける領域にて、回転軸2に交わらずに直交するピン軸12に沿って外径がテーパー状にすぼまっていく形状を有する。【選択図】図３
2012161911.tif 000002
【特許請求の範囲】
【請求項１】
クランクシャフトまたはその他のワークについて、平衡をとりつつ締め付ける締付チャック（１）であって、
チャック駆幹体（３）中に、回転軸（２）に沿って設けられて締付スリーブ（４）を受け入れる長手方向抜き部（５）と、
軸方向にズレ動かし可能で、センター部材用軸受（６）を介してチャック駆幹体（３）中に取り外し可能に固定されたセンター部材（７）と、
締付スリーブ（４）でもって切替作動を行うピストンホイール（８）とからなり、
このピストンホイール（８）のテーパー状の外側面は、回転軸（２）と交わらずに直交する方向へとズレ動き可能にピン（９）に取り付けられた締付レバー（９）に突き当てられ、この締付レバー（９）が締付あご（１０）を備えたものにおいて、
ピン（９）は、チャック駆幹体（３）中にあって、締付レバー（１０）を突き抜ける領域にて、回転軸（２）に交わらずに直交するピン軸（１２）に沿って、外径がテーパー状にすぼまっていく形状を有していることを特徴とする締付チャック。
【請求項２】
締付レバー（１０）と、これを貫いて延びるピン（９）とが、摩擦により係合して互いに組み付けられていることを特徴とする請求項１に記載の締付チャック。
【請求項３】
ピン（９）から、その半径方向に延びる座面（１３）が設けられ、この座面（１３）の箇所には、締付レバー（１０）をピン軸（１２）の方向の両側にて固定するためのストッパー部（１４）が備え付けられていることを特徴とする請求項１または２に記載の締付チャック。
【請求項４】
締付レバー（１０）を支持するピン（９）が、ピン軸（１２）の方向の両側に、延在部（１５）を有することを特徴とする請求項１〜３のいずれかに記載の締付チャック。
【請求項５】
延在部（１５）には、少なくとも1つのローラー軸受け（１６）が、ピン軸（１２）に平行となるように、備え付けられていることを特徴とする請求項１〜４のいずれかに記載の締付チャック。
【請求項６】
ピン（９）のための支持ショルダー（１８）、及び、ローラー軸受けのための受入部（１９）を備えるピンソケット（１７）について、ピン軸（１２）の方向にて位置決めが可能であることを特徴とする請求項１〜５のいずれかに記載の締付チャック。
【請求項７】
チャック駆幹体（３）中にて、少なくとも1つのカバーキャップ（２０）を、ピン軸（１２）の方向に位置決め可能であることを特徴とする請求項１〜６のいずれかに記載の締付チャック。
【請求項８】
締付スリーブ（４）によりピストンホイール（８）を通じて作動される、締付レバー（１０）の端部には、送りローラー（２１）が備え付けられていることを特徴とする請求項１〜７のいずれかに記載の締付チャック。
【請求項９】
締付スリーブ（４）の軸方向の動きを制限すべく、ストッパー部（２２）が備えられていることを特徴とする請求項１〜８のいずれかに記載の締付チャック。
【請求項１０】
締付スリーブ（４）が複数の部材から形成されていることを特徴とする請求項１〜９のいずれかに記載の締付チャック。
【発明の詳細な説明】
【技術分野】
【０００１】
本発明は、バランスをとりつつワークをつかむための締付チャックに関する。特には、クランクシャフトをつかむための締付チャックに関する。
【背景技術】
【０００２】
この締付チャックには、回転軸に沿ってチャック駆幹体中に設けられて締付スリーブを受け入れる長手方向抜き部と、軸方向にズレ動かし可能で、センター部材用軸受を介してチャック駆幹体中に取り外し可能に固定されたセンター部材と、締付スリーブでもって切替作動を行うピストンホイールが備えられる。また、このピストンホイール（ディスク状及びリング状のものなどを含めてホイールと呼ぶこととする）のテーパー状の外側面は、回転軸と交わらずに直交する方向へとズレ動き可能にピンに取り付けられた締付レバーに突き当てられる。そして、この締付レバーが締付あごを備える。
【０００３】
このような締付チャックは、例えば、ドイツ特許出願公開10 2006 024 637Aに示されている。偏心していないワークについて、または、例えばクランクシャフトといった偏心しているワークについて加工を行うためには、ワークが、その両端にて、２つの応力印加可能な締付チャックにより締め付けられる。ここで、各締付チャックは、複数のレバーにより平衡取り作用を行うことのできるものである。そして、ワークは、両端側の部分にて、それぞれ、固定のセンター部材と、その逆側にある軸方向に可動のセンター部材とにより、センタリング作用を受ける。締付のためには、締付チャックの締付レバーが振れ動く。これにより、締付レバーは、締付あごを介して、ワークの表面に突き当てられ、ワークを、平衡取りしつつ締め付ける。ワークの切削加工のためには、ワークを、その回転軸まわりに回転させなければならない。ワークを確実に締め付けるためには、締付レバーが、回転軸に交わらずに直交する軸の方向へと、ズレ動き不能に、ワークに突き当てられる必要がある。
【先行技術文献】
【特許文献】
【０００４】
【特許文献１】ドイツ特許出願公開10 2006 024 637A
【特許文献２】ヨーロッパ特許1127642B
【特許文献３】ヨーロッパ特許出願公開1127643A
【発明の概要】
【発明が解決しようとする課題】
【０００５】
したがって、本発明の根底をなす課題は、ワーク、特には、クランクシャフトを、平衡をとりつつ締め付けるにあたり、以下を可能にすることにある。すなわち、切削応力が作用する方向が絶えず切り替わる中で、滑り動きや、逆転時のがたつきがないようにすることで、より良好に締付応力を作用させることにある。
【課題を解決するための手段】
【０００６】
上記の課題は、本発明によると、冒頭部で述べたような締付チャックにおいて、以下により解決される。すなわち、ピンが、チャック駆幹体中にあって、締付レバーを突き抜ける領域にて、回転軸交わらずに直交するピン軸に沿って外径がテーパー状にすぼまっていく形状を有していることにより解決される。
【発明の効果】
【０００７】
これは、次のような利点と結びついている。すなわち、主たる切削応力の作用方向が切り替わって行きつつワークが回転するにあたり、遊びやがたつきがないようにして、ピンが締付レバーを支持するということが問題なく実現できるという利点と結びついている。チャック駆幹体の内部における、ピンの位置決めにより、さらには、加工時に起こりうる異物の侵入や汚染が防止されている。
【図面の簡単な説明】
【０００８】
【図１】締付チャックについて、これに属する締付あごを省いた状態で示す、先端側から見た正面図である。
【図２】図１の締付チャックの長手方向断面図である。
【図３】図２のIII-III線に沿った断面図である。
【発明を実施するための形態】
【０００９】
締付レバーと、これを貫通するピンとの間に、摩擦による噛み込み、ないしは接続が実現されているならば好ましい。これにより、締付レバーを支持するピンは、回転軸まわりに回転する際に、戻り止め（セルフロック）作用を受けるように設けられている。これにより、鋳込み部材に類似の、不動固定の構造が実現される。
【００１０】
また、次のようであるならば好ましい。ピンの両端に、半径方向に延びる座面が設けられ、この座面に、締付レバーをピン軸方向の両側から固定するためのストッパー部が備え付けられるのであれば好ましい。ストッパー部により、締付レバーは、ピン軸方向の位置がさらに固定されることとなる。
【００１１】
締付レバーを支持するピンが、ピン軸方向の両側に延在部を有しているならば、さらに好ましい。この延在部により、締付レバーを、ピン軸方向にて、さらに良好に支持することができる。締付レバーに作用する回転モーメントは、このように拡張された締付レバーにより、さらに著しく吸収される。
【００１２】
延在部に、少なくとも1つのローラー軸受けが備え付けられているならば好ましい。これにより、ピンの外面は、締付レバーが振れ動く際、ローラー軸受けを介して、ずれ動いて行く。これにより、締付が進行して行く際、締付レバーの非常にスムーズな動きを実現できる。
【００１３】
さらには、ピンのための支持ショルダー（またはこれとショルダー保護材）と、ローラー軸受けのための受入部とを備えるピンソケットが、ピン軸方向に位置決め可能であるならば好ましい。このピンソケットは、その支持ショルダーを介して、ストッパー部に押し付けられて支持作用を行っている。これにより、ピン軸方向での締付レバーの位置決めが確実に行われる。
【００１４】
また、少なくとも1つのカバーキャップが、取り外し・解除が可能なように、チャック駆幹体中にて、ピン軸方向に位置決め可能であれば好ましい。締付レバーは、ピンに対して直交して取り付けられた領域にて、このカバーキャップにより、異物侵入や汚染から保護される。ピン軸の右側及び左側に、２つのカバーキャップがそれぞれ、位置決めして取り付けられる。このようにして、締付レバーを取り付け・支持するための、ケーシングが形成される。
【００１５】
締付スリーブによりピストンホイールを通じて作動される、締付レバーの端部に、送りローラーが備え付けられるならば、さらに好ましい。この送りローラーにより、次のことが確実に実現される。すなわち、締付レバーは、バネ板やバネ条により、締付解除の姿勢から、締付の姿勢への可逆的な移行を容易に行うことができる。そのため、ピストンホイールが締付レバーとの間に噛み込み・詰まりを生じて動かなくなるといったことが防止されている。
【００１６】
さらに好ましい実施形態は、締付スリーブの軸方向の動きを制限する複数、特に２つのストッパーが備えられることを特徴とする。このようであると、チャック中において、軸方向の両方向にて、特定の範囲内に制限するストッパー作用を行うことができる。
【００１７】
また、締付スリーブが複数の部材からなるならば好ましい。このようであると、締付チャックの組立・組み付けが、より容易となる。
【実施例】
【００１８】
以下に、図面に示された実施例により、本発明について詳細に説明する。
【００１９】
図１には、本発明の好ましい一実施例の締付チャック１についての、先端側から見た正面図を示す。ここで、締付レバー１０に取り付けられる締付あご１１は描かれていない。また、ここでの締付チャック１は、３つの締付あごを備える締付チャックとして形成されている。
【００２０】
図２中の締付チャック１は、ワーク、特にはクランク軸を、カウンターバランスを行いつつ、つかむためのものである。締付チャック１は、このチャック駆幹体３中に回転軸２に沿って設けられて締付スリーブ４を受け入れる長手方向抜き部５と、軸方向に押し動かし可能であってセンター部材用軸受６によってチャック駆幹体３中に解除可能に固定されたセンター部材７と、締付スリーブ４でもって切替作用を行うピストンホイール８とからなる。ピストンホイール８のテーパー状の外側面は、ピン９に取り付けられた締付レバー１０に突き当てられている。ここで、ピン９は、回転軸２を離れて直交する方向（回転軸２を中心とする円の接線方向）へとズレ動かすためにズレ動き可能である。また、締付レバー１０には、締付あご１１が備えられる。センター部材用軸受６と、センター部材７との間には、ボールベアリング２３が備えられる。ピストンホイール８により切替可能な締付スリーブ４は、図示の例において、複数の部材から形成されており、締付スリーブ４により作動される、締付レバー１０の端部には、送りローラー２１が備えられている。さらに、チャック駆幹体３中には調整デバイス２４が設けられており、締付レバー１０にはシーリング材２５が備えられている。このシーリング材２５は、汚染を防止する部材としての役割を果たす。締付あご１１は、偏心していないワーク、及び、偏心しているワークを締付保持可能である。締付レバー１０を支持するピン９は、図３から知られるように、締付レバー１０の領域にて、外径をなす面がテーパー状に形成されている。
【００２１】
図３には、図２のIII-III断面を示す。この図から知られるように、締付レバー１０が搭載されるピン９がテーパー状をなすように形成され、ストッパー部材１４が、締付レバー１０をピン軸方向両側から位置決めすべく備えられている。また、ピン９は、ピン軸方向の両側に、延在部１５を備える。これら延在部１５には、ピン軸１２に平行に、複数のローラー軸受け１６が、円柱形ローラーによる軸受けの形で、備えられている。ピン９の両端には、ピンソケット１７が配置されており、このピンソケット１７には、ピン９のための支持ショルダー１８、及び、ローラー軸受け１６のための受入部１９が備えられている。チャック駆幹体３中におけるピンソケット１７の位置は、２つのカバーキャップ２０によって固定されている。この図から知られるように、ピン９は、締付チャック１に組み付けるにあたり、回転軸２に交わらない直交方向に配置されたピン軸１２に沿って、カバーキャップ２０の側へと向かう方向にのみ差し込むことができる。
【００２２】
以下に、本発明にしたがう締付チャック１でもってワークを締め付けるプロセスの例について説明する。
【００２３】
ワークの端部、特にはクランクシャフトの端部が、軸方向にズレ動かし可能なセンター部材７に突き当てられる。締付スリーブ４は、締付チャック１における接続端の側へと引き動かされて、ピストンホイール８に接触することとなる。締付スリーブ４をこのように動かすことは、機械的な方式、液圧による方式、空気圧による方式、その他の適当な方式により実現できる。締付スリーブ４により、ピストンホイール８も、締付チャック１における接続端の側へと引き動かされる。
【００２４】
ピストンホイール８のテーパー状の外面により、締付レバー１０は、回転軸２を中心とする円の半径方向に、外側へと押される。ピン９に取り付けられた締付レバー１０が、ピン軸１２まわりに振れ動くこととなる。これにより、締付レバー１０の自由端は、回転軸２を中心とする円の半径方向に、内側へと押される。このように内側へと押されることにより、締付レバー１０に備えられた締付あご１１が、ワークに押し付けられる。ピストンホイール８が、半径方向に可動に取り付けられているので、締付あご１１が締付を行うのである。
【符号の説明】
【００２５】
１・・・締付チャック；        ２・・・回転軸；              ３・・・チャック駆幹体；  
４・・・締付スリーブ；        ５・・・長手方向抜き部；      ６・・・センター部材用軸受；  
７・・・センター部材；        ８・・・ピストンホイール；    ９・・・ピン；  
１０・・・締付レバー；        １１・・・締付あご；          １２・・・ピン軸；  
１３・・・座面；              １４・・・ストッパー部材；    １５・・・延在部；  
１６・・・ローラー軸受け；    １７・・・ピンソケット；      １８・・・支持ショルダー；  
１９・・・受入部；            ２０・・・カバーキャップ；    ２１・・・送りローラー；  
２２・・・ストッパー部；      ２３・・・ボールベアリング；  ２４・・・調整デバイス；  
２５・・・シーリング
【図１】
2012161911.tif 000003
【図２】
2012161911.tif 000004
【図３】
2012161911.tif 000005
【手続補正書】
【提出日】平成24年2月6日(2012.2.6)
【手続補正１】
【補正対象書類名】図面
【補正対象項目名】図１
【補正方法】変更
【補正の内容】
【図１】
2012161911.tif 000006
【手続補正２】
【補正対象書類名】図面
【補正対象項目名】図３
【補正方法】変更
【補正の内容】
【図３】
2012161911.tif 000007